(57)【要約】      （修正有）【課題】配送物に貼付される専用ラベルの裏側に配送物の仕様情報を印刷し、初めてメール便を利用する個人客でも、簡単に配送物の「規格」が理解できるようにした配送ラベルシートを提供する。【解決手段】基紙の片側に粘着剤を伴った配送ラベルが剥離可能に貼り合わされた配送ラベルシートであって、配送ラベルの表出面には運送会社名，サービス名，配送物を追跡するための機械読み取り用配送物識別情報の少なくとも一つを含む配送ラベル情報が印刷され、配送ラベルシートの裏側である基紙の表出面には配送物仕様情報が印刷された配送ラベルシートを提供する。【選択図】  図３
2006215123.tif 000002
【特許請求の範囲】
【請求項１】
基紙の片側に粘着剤を伴った配送ラベルが剥離可能に貼り合わされた配送ラベルシートであって、
配送ラベルの表出面には運送会社名，サービス名，配送物を追跡するための機械読み取り用配送物識別情報の少なくとも一つを含む配送ラベル情報が形成され、
配送ラベルシートの裏側である基紙の表出面には配送物の仕様情報が印刷されたことを特徴とする配送ラベルシート。
【請求項２】
請求項1に記載の配送ラベルシートにおいて、
配送物追跡用の配送物識別情報だけが複数、分離可能な状態で形成されたことを特徴とする配送ラベルシート。
【請求項３】
請求項２記載の配送ラベルシートにおいて、
二つ目以降の配送物追跡用の配送物識別情報は、一つ目の配送物追跡用の配送物識別情報と同一ないし関連性を有する情報であることを特徴とする配送ラベルシート。
【請求項４】
請求項１〜３記載の配送ラベルシートにおいて、
配送物追跡用の配送物識別情報は、文字情報を伴った光学読取コード、または、文字情報を伴わない光学読取コードであることを特徴とする配送ラベルシート。
【発明の詳細な説明】
【技術分野】
【０００１】
本発明は、配送ラベルシートに関し、詳しくは基紙の片側に配送ラベルが剥離可能に貼り合わされ、基紙の表出面には配送物の仕様情報が印刷された、配送ラベルシートに関する。
【背景技術】
【０００２】
近年では、宅配配送物は当たり前のように利用されている。
この宅配便システムでは、多くの場合、荷物追跡のためのバーコードが印刷された複写形式の配送伝票が配送物に貼付され、使用されている。配送物は、バーコードによって管理され、配送中の位置状況が把握できるようになっている。
また、宅配便システムは、多品種少量な配送物を対象に開発されたもので、安全で、便利なシステムであるが、少ない種類の配送物を大量に依頼する荷主側にとっては、「伝票発行が面倒」，「厳密な荷物の位置状況の把握は不要」等の不満があった。
このような理由から、前記のような配送物に対してはコストダウンが最優先の課題となった。
そこで、宅配業者側は、「紛失時の損害額の減額」，「小サイズに限定」，「ポストインで判取り不要」を条件に、配送伝票のコストダウンを図り、バーコード追跡システムを維持しつつ配送費用のコストダウンを実現した。これが、料金均一で全国に配送可能な「メール便」と呼ばれる宅配サービスである。
この「メール便」に似たサービスは、「はがき」や、「封書」などの郵便物として古くから存在している。郵便の場合は、「はがき」や、「封書」に街で購入可能な「切手」を貼付して「ポスト」に投函することで、郵便物として配達してくれる。
しかし、宅配配送物の中には「第１種郵便物」，「第２種郵便物」の規定から外れる、例えば、カタログやチラシ等の配送物が多く、これらの配送物を「簡便に、安く配送したい」というニーズから「メール便」システムが開発された。
前述の「メール便」用媒体に関しては、利用効率を高めた宛先ラベルに関する技術などが提案されている（例えば、特許文献１参照。）。
【０００３】
【特許文献１】特開２００１−２７２９１４号公報
【発明の開示】
【発明が解決しようとする課題】
【０００４】
「メール便」は、個人客にまで利用されるようになってきたのであるが、使用され始めて日が浅いこともあって、対象となる配送物の「規格」が浸透していない。
そこで、配送物に貼付される専用ラベルの裏側に配送物の仕様情報を印刷し、初めてメール便を利用する個人客でも、簡単に配送物の「規格」が理解できるようにした配送ラベルシートを提供する。
【課題を解決するための手段】
【０００５】
前記課題の目的を達成するために、本発明の配送ラベルシートの請求項１に記載の発明は、基紙の片側に粘着剤を伴った配送ラベルが剥離可能に貼り合わされた配送ラベルシートであって、配送ラベルの表出面には運送会社名，サービス名，配送物を追跡するための機械読み取り用配送物識別情報の少なくとも一つを含む配送ラベル情報が形成され、配送ラベルシートの裏側である基紙の表出面には配送物仕様情報が印刷されたことを特徴とするものである。
【０００６】
また、請求項２に記載の発明は、請求項1に記載の発明において、配送物追跡用の配送物識別情報だけが複数、分離可能な状態で形成されたことを特徴とするものである。
【０００７】
また、請求項３に記載の発明は、請求項２に記載の発明において、二つ目以降の配送物追跡用の配送物識別情報は、一つ目の配送物追跡用の配送物識別情報と同一ないし関連性を有する情報であることを特徴とするものである。
【０００８】
また、請求項４に記載の発明は、請求項１〜３記載の発明において、配送物追跡用の配送物識別情報は、文字情報を伴った光学読取コード、または、文字情報を伴わない光学読取コードであることを特徴とするものである。
【発明の効果】
【０００９】
１）請求項１に記載のように、基紙の片側に粘着剤を伴った配送ラベルが剥離可能に貼り合わされた配送ラベルシートであって、配送ラベルの表出面には運送会社名，サービス名，配送物を追跡するための機械読み取り用配送物識別情報の少なくとも一つを含む配送ラベル情報が形成され、配送ラベルシートの裏側である基紙の表出面には配送物の仕様情報が印刷されたことによって、配送物の仕様書によって配送の都度確認する必要がなく、配送ラベルシートを配送物にあてがうだけで確認できる。また、従来捨てられていたものを保管して繰り返し使用することもできる。
２）また、請求項２に記載のように、請求項1に記載の発明において、配送物追跡用の配送物識別情報だけが複数、分離可能な状態で形成されたことによって、また、請求項３に記載のように、請求項２に記載の発明において、二つ目以降の配送物追跡用の配送物識別情報は、一つ目の配送物追跡用の配送物識別情報と同一ないし関連性を有する情報であることによって、必要に応じて配送ラベルを増やすことができ、メール便展開範囲を容易に拡大することができる。
３）また、請求項４に記載のように、請求項１〜３記載の発明において、配送物追跡用の配送物識別情報は、文字情報を伴った光学読取コード、または、文字情報を伴わない光学読取コードであることによって、従来の宅配便管理システムのインフラがそのまま流用でき、システムの運用コストを安く押さえることができる。
【発明を実施するための最良の形態】
【００１０】
以下、図面を参照して本発明の配送ラベルシートについて説明する。
図１は、本発明の配送ラベルシートの配送ラベル側から見た状態の一例について説明するための図，図２は、本発明の配送ラベルシートの配送ラベル側から見た状態の他の一例について説明するための図，図３は、配送ラベルシートの裏側である基紙の表出面に印刷された配送物の仕様情報の一例について説明するための図，図４は、図１のＡ−Ａ線断面図，図５は、配送物の仕様情報が印刷された基紙の使用例について説明するための図，図６は、図１で示した配送ラベルの使用例について説明するための図，図７は、図１で示した配送ラベルシートが利用者に配布される場合の形態の一例について説明するための図，である。
【００１１】
図１を参照して、本発明の配送ラベルシートの配送ラベル側から見た状態の一例について説明する。
図１に示す配送ラベルシート１の配送ラベル１１には、メール便のサービス名「メール便○○パック」や、機械読み取り用の配送物識別情報が配送ラベル情報として形成されている。
機械読み取り用の識別情報としては、例えば、バーコードや二次元コード，ＯＣＲのように印刷やプリンタによって形成するものや、ＲＦＩＤのように紙に抄き込んだり、ラベル上に形成して配送物に貼付するものがある。
以下の説明では、機械読み取り用の識別情報を、印刷によって形成されたバーコードの例で説明する。
図１に示す配送ラベルシート１の配送ラベル１１には、メール便のサービス名「メール便○○パック」と、バーコードによる配送物識別情報が、配送ラベル情報として印刷されている。
配送ラベルシート１の左端には、配送ラベル１１を基紙から剥がしやすくするための切込み（ハーフカット）２が施されている。また、切込み２の近傍には配送ラベルを剥がすための切込みであることを示す文言「はがす」が印刷されている。
【００１２】
図２を参照して、図１で説明した配送ラベルの他の例について説明する。
図２に示す配送ラベルシート１の配送ラベルには、メール便の名称、即ち、サービス名「メール便○○パック」と、二つのバーコードが印刷表示されている。
配送ラベル１１０と配送ラベル１１１の境界には、それぞれの配送ラベルを基紙から剥がしやすくするための切込み２が施されている。また、切込み２の近傍には剥がすための切込みであることを示す文言「はがす」が印刷されている。
本実施の形態では、配送ラベル１１１に印刷されている配送物識別情報は、配送ラベル１１０に印刷されたものと同じ管理情報が印刷されており、配送ラベル１１１は、例えば、配送業者によって所定の用紙に貼付されて捺印され、荷送り人に発送控えとして、渡される。
利用用途に合わせて、配送ラベル１１１に印刷されている配送物識別情報を配送ラベル１１０のものと異なる情報とすることもできる。その場合は、配送ラベル１１１に印刷される配送物識別情報は、配送ラベル１１０に印刷される配送物識別情報と関連付けされている。
【００１３】
図３を参照して、配送ラベルシートの裏側である基紙の表出面に印刷された配送物の仕様情報の一例について説明する。
図３に示す実施形態では、配送ラベルシートの裏側基紙１２の表出面には、配送物の仕様情報１２００の一つである大きさの最大値が原寸で記載されている。
例えば、配送物の長辺方向の許容された最大長ｃ，短辺方向の許容された最大長ａ，厚さ方向の許容された最大長ｂが矢印，説明文言と共に原寸で印刷されており、利用客は、配送物に基紙を当てて確認することができる。
基紙１２の前述配送物の仕様情報１２００が印刷されている面の逆側は、多くの場合、剥離剤が塗布されていたり剥離のためのフィルムが貼り合わされている。
図３に示す例では、原寸で表示されているために長さの数字が記載されていないが、説明文言の後に、長さを示す数字を併記してもよい。
【００１４】
図４を参照して、図１のＡ−Ａ線断面について説明する。
配送ラベルシート１の配送ラベル１１には、メール便の名称「メール便○○パック」や、バーコードによる配送物追跡用の配送物識別情報等の配送ラベル情報１１００を印刷したインキ層が形成されている。
配送ラベル１１の左端には、配送ラベル１１を基紙から剥がしやすくするための切込み２が施されている。
配送ラベル１１の裏側には粘着剤層５が形成されており、その下部、基紙１２の上部に形成された剥離剤層６の表面で剥離するようになっている。
基紙１２の表出面には、配送物の仕様情報１２００を印刷したインキ層が形成されている。
【００１５】
図５を参照して、配送物の仕様情報が印刷された基紙の使用例について説明する。
図５に示す基紙１２は、裏面に配送ラベルを伴った状態で使用されても、配送ラベルが既に剥がされた状態で使用されてもよい。
基紙１２の左端を配送物３の左端に合わせて長辺方向の長さを確認する。基紙に表示された長辺方向の最大長「ｃ」より短いことを確認する。
次に、基紙１２の左端を配送物３の上端に合わせて短辺方向の長さを確認する。基紙に表示された短辺方向の最大長「ａ」より短いことを確認する。
図示しないが、厚さ方向の最大長ｂを確認し、オーバーしていないことを確認する。
許容長を確認した後で配送ラベルシートから配送ラベルを引き剥がして、配送物の所定の場所に配送ラベルを貼付し配送業者に配送を依頼する。
【００１６】
図６を参照して、図１で示した配送ラベルの使用例について説明する。
図５で配送物の大きさが仕様の範囲内であることが確認されたら、配送物に配送伝票４を貼付し、配送伝票貼付位置の上部に図１で説明した配送ラベル１１を貼付する。
配送伝票４には、受取人と差出人情報を記載する宛先情報記載欄４１が形成されており、受取人の郵便番号，住所情報，氏名、差出人の郵便番号，住所情報，氏名等が記載される。
図２で説明した配送ラベルを使用する場合は、例えば、発送控えとして配送ラベル１１１を配送業者が所持する発送控え用紙に貼付して保管する。
【００１７】
図７を参照して、図１で示した配送ラベルシートが利用者に配布される場合の形態の一例について説明する。
メール便で扱われる配送物は、個人住宅の郵便受けに投函可能な大きさであるために、配送ラベルシートは、例えば、長さは、「Ａ４サイズ」の長辺程度の大きさで、幅はバーコードなどが印刷される高さを有していればよいために、細長い帯状になっている。
そのために、短期間に複数の配送ラベルシートを利用する利用者に提供する場合、保管しやすい状態で提供する。
そこで、帯状の配送ラベルシートを長辺に沿って複数枚連接させてレターペーパーの状態にして提供する。
そのときに、基紙は、例えば帯状ではなくて図７に示すよう連接された配送ラベルシート１０００の大きさとし、配送ラベルが個々の大きさに剥がせるようにデザインすることもでき、その場合の基紙の表出面には寸法を表示した配送物仕様情報が全面に印刷されていても、図３に示したように印刷されていてもよい。
【００１８】
図４を参照して、本発明の配送ラベルシートを構成する材料の一例について説明する。
配送ラベル１１の材料として、４０〜１０５ｇ／ｍ2の比較的薄めの上質紙，コート紙，クラフト紙などの中から選択して使用する。
また、基紙１２として、６４〜１２８ｇ／ｍ2の上質紙，コート紙，クラフト紙などの紙の中から選択して使用する。
印刷のインキ層１１００，１２００に使用されるインキは、市販されているＵＶ乾燥型のオフセットインキや通常の酸化重合型のオフセットインキを使用する。
剥離剤層６に使用する剥離剤、および、粘着剤層５に使用する粘着剤は、公知の材料を使用する。また、粘着紙として市販されている材料を使用して印刷してもよい。
【産業上の利用可能性】
【００１９】
「メール便」のような簡易型の配送物で、配送物の大きさが決められている配送物の配送ラベルシートとして利用できる。
【図面の簡単な説明】
【００２０】
【図１】本発明の配送ラベルシートの配送ラベル側から見た状態の一例について説明するための図である。
【図２】本発明の配送ラベルシートの配送ラベル側から見た状態の他の一例について説明するための図である。
【図３】配送ラベルシートの裏側である基紙の表出面に印刷された配送物の仕様情報の一例について説明するための図である。
【図４】図１のＡ−Ａ線断面図
【図５】配送物の仕様情報が印刷された基紙の使用例について説明するための図である。
【図６】図１で示した配送ラベルの使用例について説明するための図である。
【図７】図１で示した配送ラベルシートが利用者に配布される場合の形態の一例について説明するための図である。
【符号の説明】
【００２１】
１      配送ラベルシート
２      切込み（ハーフカット）
３      配送物
４      配送伝票
５      粘着剤層
６      剥離剤層
１１，１１０，１１１  配送ラベル
１２    基紙
４１    宛先情報記載欄
１０００  連接された配送ラベルシート
１１００  配送ラベル情報
１２００  配送物仕様情報
【図１】
2006215123.tif 000003
【図２】
2006215123.tif 000004
【図３】
2006215123.tif 000005
【図４】
2006215123.tif 000006
【図５】
2006215123.tif 000007
【図６】
2006215123.tif 000008
【図７】
2006215123.tif 000009